(57)【特許請求の範囲】
【請求項１】
一又は複数のスイッチと、前記スイッチに対向する外面を覆って前記スイッチを押圧する押圧領域を設けた加飾シートとを備える操作パネルにおいて、
前記加飾シートが、表面に複数のヘアラインを並設して光を透過するヘアライン層と、前記ヘアライン層の裏面に形成されるとともに所定の前記押圧領域に開口部を有する半透明の第１スモーク層と、前記開口部に配して第１スモーク層よりも可視光線の透過率の高い半透明の第２スモーク層と、第１スモーク層及び第２スモーク層の裏面に形成されて前記ヘアライン層から入射した光を反射する反射層とを有することを特徴とする操作パネル。
【請求項２】
第１スモーク層及び第２スモーク層の可視光線の透過率が５０％以下であることを特徴とする請求項１に記載の操作パネル。
【請求項３】
前記ヘアライン層が樹脂シートから成り、第１スモーク層、第２スモーク層及び前記反射層が前記樹脂シート上に塗装して形成されることを特徴とする請求項１または請求項２に記載の操作パネル。
【請求項４】
前記加飾シートは前記押圧領域と前記スイッチを押圧しない非押圧領域との境界を形成する溝部を有するとともに、
前記押圧領域と前記非押圧領域とが略同一平面上に形成され、
前記溝部の深さが前記加飾シートの厚みの２倍以上に形成されるとともに、
前記溝部の幅が前記加飾シートの厚みの３倍以上に形成されることを特徴とする請求項１〜請求項３のいずれかに記載の操作パネル。
【請求項５】
請求項１〜請求項４のいずれかに記載の操作パネルを床面上に設置される筐体の上面に配置したことを特徴とする床置き型電気機器。
【発明の詳細な説明】
【技術分野】
【０００１】
本発明は、スイッチを覆う加飾シートを有する操作パネル及び床置き型電気機器に関する。
【背景技術】
【０００２】
操作パネルを備える従来の送風装置が特許文献１に開示される。この送風装置は床面上に設置される筐体の上面に操作パネルが配される。操作パネルはスイッチに対向する加飾シートにより上面を覆われる。加飾シートにはスイッチの押圧領域を識別するために、シート成形や印刷によって装飾や印字が施されている。筐体の前面には吹出口が開口し、側面には吸込口が開口する。筐体の内部には吸込口と吹出口とを連結する送風通路が設けられ、送風通路内には送風ファンが配される。
【０００３】
操作パネルの所定のスイッチの操作により送風ファンが駆動される。これにより、室内の空気が吸込口から送風通路内に流入する。送風通路を流通した空気は吹出口から室内に送出される。これにより、室内の空気を循環させることができる。
【先行技術文献】
【特許文献】
【０００４】
【特許文献１】特開２０１３−２１３４５４号公報（第４頁、第６頁、第１図、第２図）
【特許文献２】特開２０００−２２２９６７号公報（第２頁−第３頁、第２図）
【発明の概要】
【発明が解決しようとする課題】
【０００５】
しかしながら、上記従来の送風装置によると、送風装置から離れた使用者が押圧領域の装飾や印字を容易に識別することができない。このため、送風装置に近づいてから所定の押圧領域を探す必要がある。また、床面上に着座した使用者が筐体上面の操作パネルを斜め方向から視認するため、押圧領域の装飾や印字を容易に識別することができない。このため、手の届く範囲に送風装置が設置されていても、使用者は所定の押圧領域の識別のために送風装置に更に近づく必要がある。したがって、送風装置の利便性が悪い問題があった。
【０００６】
本発明は、利便性を向上できる操作パネル及びそれを備えた床置き型電気機器を提供することを目的とする。
【課題を解決するための手段】
【０００７】
上記目的を達成するために本発明は、一又は複数のスイッチと、前記スイッチに対向する外面を覆って前記スイッチを押圧する押圧領域を設けた加飾シートとを備える操作パネルにおいて、
前記加飾シートが、表面に複数のヘアラインを並設して光を透過するヘアライン層と、前記ヘアライン層の裏面に形成されるとともに所定の前記押圧領域に開口部を有する半透明の第１スモーク層と、前記開口部に配して第１スモーク層よりも可視光線の透過率の高い半透明の第２スモーク層と、第１スモーク層及び第２スモーク層の裏面に形成されて前記ヘアライン層から入射した光を反射する反射層とを有することを特徴としている。
【０００８】
この構成によると、ヘアライン層の表面から加飾シート内に入射した光は第１スモーク層や第２スモーク層を透過して反射層で反射する。反射層で反射した光は第１スモーク層や第２スモーク層を透過してヘアライン層の表面から出射する。
【０００９】
また本発明は、上記構成の操作パネルにおいて、第１スモーク層及び第２スモーク層の可視光線の透過率が５０％以下であると好ましい。
【００１０】
また本発明は、上記構成の操作パネルにおいて、前記ヘアライン層が樹脂シートから成り、第１スモーク層、第２スモーク層及び前記反射層が前記樹脂シート上に塗装して形成されると好ましい。
【００１１】
また本発明は、上記構成の操作パネルにおいて、第２スモーク層に対向する前記スイッチにより前記電気機器の運転開始又は運転停止を行うと好ましい。
【００１２】
また本発明は、上記構成の操作パネルにおいて、前記加飾シートは前記押圧領域と前記スイッチを押圧しない非押圧領域との境界を形成する溝部を有するとともに、前記押圧領域と前記非押圧領域とが略同一平面上に形成され、前記溝部の深さが前記加飾シートの厚みの２倍以上に形成されるとともに、前記溝部の幅が前記加飾シートの厚みの３倍以上に形成されると好ましい。
【００１３】
また本発明の床置き型電気機器は、上記構成の操作パネルを床面上に設置される筐体の上面に配置したことを特徴としている。
【００１４】
また本発明は、鉛直な回動軸で揺動する筐体と、前記筐体の前面に開口する吹出口と、前記筐体の側面に開口して前記吹出口よりも下方に配される吸込口と、前記筐体内に配して前記吸込口と前記吹出口とを連通させる送風通路と、イオンを発生して前記送風通路内に送出するイオン発生装置と、前記送風通路内に配される送風ファンとを備えた送風装置において、
前記筐体の側面が開口部を有したカバー部材に覆われ、前記開口部に配されるグリルを有し、
前記吸込口が前記カバー部材に形成される第１吸込部と、前記グリルに形成される第２吸込部とを有し、
前記グリルが下端部を前記カバー部材に近接して上方に行くほど前記カバー部材から内側に離れる方向に傾斜する傾斜部を有し、前記傾斜部に第２吸込部が配されることを特徴としている。
【発明の効果】
【００１５】
本発明によると、加飾シートがヘアラインを有するヘアライン層と、所定の押圧領域に開口部を有する半透明の第１スモーク層と、開口部に配して第１スモーク層よりも可視光線の透過率の高い半透明の第２スモーク層と、ヘアライン層から入射した光を反射する反射層とを有する。これにより、目視方向によって所定の押圧領域と該押圧領域以外の領域とのコントラストが変化する。したがって、操作パネルから離れた使用者や床面に着座した使用者が所定の押圧領域を容易に識別することができ、操作パネル及び床置き型電気機器の利便性を向上させることができる。また、操作パネルを略真上から見た場合に、操作パネルのデザインの統一性が損なわれず操作パネル及び床置き型電気機器の美観を向上させることができる。
【図面の簡単な説明】
【００１６】
【図１】本発明の第１実施形態の操作パネルを備える送風装置を示す斜視図
【図２】本発明の第１実施形態の操作パネルを備える送風装置のグリルを示す縦断面図
【図３】本発明の第１実施形態の操作パネルを備える送風装置の内部を示す側面図
【図４】本発明の第１実施形態の操作パネルを備える送風装置のイオン発生装置を示す斜視図
【図５】本発明の第１実施形態の操作パネルを示す上面図
【図６】本発明の第１実施形態の操作パネルの加飾シートを取り外した基台を示す上面図
【図７】図４のＡ−Ａ断面図
【図８】図５のＢ−Ｂ断面図
【図９】本発明の第１実施形態の操作パネルの加飾シートを示す分解斜視図
【図１０】本発明の第１実施形態の操作パネルの効果を調べる実験を説明するための図
【図１１】本発明の第２実施形態の操作パネルを備える送風装置を示す斜視図
【図１２】本発明の第３実施形態の操作パネルを備える送風装置を示す斜視図
【発明を実施するための形態】
【００１７】
＜第１実施形態＞
以下に本発明の実施形態を図面を参照して説明する。図１は第１実施形態の操作パネルを備えた送風装置の斜視図を示している。図中、白抜き矢印は空気の流通方向を示している。送風装置１（床置き型電気機器）は柱状をなす筐体２と、筐体２の下方に配置された台座部３とを備え、室内の床面上に設置される。
【００１８】
台座部３は平面視円形を成し、上面に立設される筐体２を支持する。台座部３の周面には電源コード（不図示）が導出される。筐体２は下部に設けた不図示の変位モータを駆動すると、径方向中心に設けた上下方向に延びる回転軸線を中心に台座部３に対して水平面内で回転する。これにより、筐体２が鉛直な回転軸で揺動し、所定の角度範囲で往復変位して首振り動作を行う。
【００１９】
筐体２は上下に縦長に延びる柱状に形成されている。筐体２は底面が円形を成し、上下方向の略中央部から上端にかけての部分が略直方体形状で形成されている。上部の略直方体形状の部分は横幅より前後の長さのほうが長く、左右両側面が外側に膨らむように湾曲している。
【００２０】
筐体２の上部の両側面はカバー部材２ａにより覆われ、下部の両側面は複数の小孔から成る吸込部４１（第１吸込部）を開口するカバー部材２ｂで覆われる。カバー部材２ａの下端部には切欠き部が設けられ、カバー部材２ａ、２ｂを筐体２に取り付けると切欠き部とカバー部材２ｂの上端とにより開口部２１ａが形成される。開口部２１ａは筐体２の側面の前後の端部に渡って開口し、開口部２１ａにはグリル８が配される。
【００２１】
筐体２の上部前面には吹出口５が開口する。筐体２の上面には操作パネル６が設けられる。なお、操作パネル６の詳細については後述する。
【００２２】
図２はグリル８の縦断面図を示している。グリル８は吹出口５の下方で筐体２の前後の端部にわたって延びて形成され、前後端で筐体２の内部の支持部材（不図示）にネジ止めされている。グリル８の下端部はカバー部材２ｂに近接し、グリル８は上方に行くほどカバー部材２ａから内側に離れる方向に傾斜する傾斜部８ａを有する。傾斜部８ａには複数のスリットから成る吸込部４２（第２吸込部）が形成される。吸込部４２を形成する各スリットは吹出口５よりも下方に配され、上方へ行くほど吹出口５に近づく方向に傾斜している。
【００２３】
吸込部４２の各スリットの開口面積は吸込部４１の各小孔の開口面積よりも大きくなっている。吸込部４１及び吸込部４２により室内の空気を吸い込む吸込口４が形成される。
【００２４】
図３はカバー部材２ａ、２ｂ及びグリル８を取り外した送風装置１の内部を示す側面図である。筐体２の内部には上下方向に延びて吸込口４と吹出口５とを連通させる送風通路２０が設けられる。送風通路２０の内部であって筐体２の下部の両側部には送風ファン７が配置されている。
【００２５】
送風ファン７はシロッコファン等の遠心ファンにより構成され、吸気口（不図示）が吸込口４に面して配される。送風ファン７の排気口７ａは上方に向けて開口する。送風ファン７の駆動によって吸込口４から吸い込まれた空気が吹出口５に向かって流通する。送風ファン７をターボファンにより構成してもよい。
【００２６】
送風通路２０は送風ファン７の下流で上方に向かって延びるとともに前方の吹出口５に向かって湾曲し、仕切板２１により分割された複数の分割通路２２を有している。本実施形態では５枚の仕切板２１により６本の分割通路２２が設けられる。各分割通路２２は入口部２３において送風装置１の前後方向に一列に並び、出口部２４において上下方向に一列に並ぶ。仕切板２１は分割通路２２の上下の壁面を形成し、吹出口５には仕切板２１及び送風通路２０の下壁２６を延長するように６枚の風向板２５が配される。
【００２７】
送風ファン７と分割通路２２との間にはイオンを発生するイオン発生装置３０が配置されている。イオン発生装置３０が送風ファン７の下流に配置されるため、送風ファン７との衝突によるイオンの消滅を防止することができる。
【００２８】
図４はイオン発生装置３０の外観斜視図を示している。イオン発生装置３０はハウジング３１内に放電電極やその他電子部品を配してパッケージ化されている。イオン発生装置３０は回路部（不図示）、正イオン発生部３２Ｐ及び負イオン発生部３２Ｎを備えている。回路部は外部から電力供給を受けて高圧の電気パルスを生成する高圧電気発生回路を備えている。
【００２９】
正イオン発生部３２Ｐは正放電電極３３Ｐを備え、負イオン発生部３２Ｎは負放電電極３３Ｎを備えている。二対の正放電電極３３Ｐ及び負放電電極３３Ｎは各々針状に形成されて所定の間隔で並べて配置され、開口部を介して送風通路２０に臨んでいる。
【００３０】
正イオン発生部３２Ｐ及び負イオン発生部３２Ｎはともに同じ構造に形成される。各々の正放電電極３３Ｐ、負放電電極３３Ｎに高圧電気発生回路で生成された高電圧が供給されて放電を発生させ、イオンを放出する。
【００３１】
正放電電極３３Ｐ、負放電電極３３Ｎには交流波形またはパルス波形から成る電圧が印加される。正放電電極３３Ｐには正電圧が印加され、コロナ放電による水素イオンが空気中の水分と結合して主としてＨ+（Ｈ2Ｏ）ｍから成る正イオンを発生する。
【００３２】
負放電電極３３Ｎには負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３３】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生装置３０は送風通路２０内に正イオン及び負イオンを放出し、吹出口５から正イオン及び負イオンが送出される。これにより、例えば室内の殺菌や脱臭を行うことができる。
【００３４】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００３５】
なお、本実施形態ではイオン発生装置３０によって正イオン及び負イオンを発生しているが、正イオンのみまたは負イオンのみを発生してもよい。
【００３６】
また、イオン発生装置３０が帯電微粒子水から成るイオンを発生する静電霧化装置であってもよい。静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００３７】
図５は操作パネル６の上面図を示している。図６は操作パネル６の基台６１の上面図を示している。図５及び図６において下方及び上方はそれぞれ筐体２の前方及び後方を示している。図７及び図８は図５のＡ−Ａ断面図及び図６のＢ−Ｂ断面図をそれぞれ示している。
【００３８】
操作パネル６は基台６１、加飾シート６２及び複数のスイッチ６３（図８参照）を有する。基台６１は樹脂の成型品から成り、上面に凹設された複数の窪み部６１ｄを有する。窪み部６１ｄ内には開口部６１ａが設けられる。これにより、開口部６１ａは基台６１の上面よりも低い位置に配される。各開口部６１ａ内にはそれぞれ押圧部６１ｂが配され、開口部６１ａの周縁と押圧部６１ｂとは連結部６１ｃにより連結される。押圧部６１ｂの上面は基台６１の上面と同一平面に配され、押圧部６１ｂの下端は窪み部６１ｄよりも下方に突出する。押圧部６１ｂを上方から押すと連結部６１ｃが弾性変形する。これにより、押圧部６１ｂは下方に動くことができる。
【００３９】
図８に示すように、スイッチ６３は押圧部６１ｂの下方に所定の隙間ＳＰを介して配されている。押圧部６１ｂを下方に押圧すると押圧部６１ｂが下方へ移動してスイッチ６３を押圧する。これにより、送風装置１の各種動作設定が行われる。
【００４０】
加飾シート６２は厚さｔが例えば０．２５ｍｍに形成され、基台６１の上面に貼着される。加飾シート６２には窪み部６１ｄに面して押圧部６１ｂを介してスイッチ６３を押圧する複数の押圧領域１６ａ、１６ｂ、１６ｃが設けられる。以下の説明において、押圧領域１６ａ、１６ｂ、１６ｃを総称して「押圧領域１６」という場合がある。
【００４１】
押圧部６１ｂに対して非対向の非押圧領域１７と押圧領域１６との境界には環状の溝部１８が形成される。この時、押圧領域１６と非押圧領域１７とは略同一平面上に配される。これにより、押圧領域１６が非押圧領域１７に対して突出せず、操作パネル６の美観を向上して高級感を得ることができる。
【００４２】
溝部１８の深さｄは例えば、０．５ｍｍに形成され、幅ｗは例えば、０．７５ｍｍに形成される。これにより、非押圧領域１７に対して同一平面内に配される押圧領域１６が押圧により溝部１８を介して容易に降下し、スイッチ６３を容易に操作することができる。
【００４３】
この時、溝部１８の深さｄが加飾シート６２の厚さｔの２倍よりも浅いと、押圧領域１６の降下量が小さくなるとともに押圧時のクリックが得られない。また、溝部１８の幅ｗが加飾シート６２の厚さｔの３倍よりも狭いと、押圧領域１６を容易に降下させることができない。このため、溝部１８の深さｄを加飾シート６２の厚さｔの２倍以上に形成し、溝部１８の幅ｗを加飾シート６２の厚さｔの３倍以上に形成することが望ましい。
【００４４】
各押圧領域１６には印刷によって文字や装飾が施される。シート成形により各押圧領域１６に装飾を施してもよい。これにより、使用者は送風装置１の近傍で押圧領域１６を容易に識別して操作することができる。押圧領域１６ａは送風装置１の駆動開始を指示し、押圧領域１６ｂは送風装置１の駆動停止を指示する。また、押圧領域１６ｃによって送風ファン７の風量の変更、イオン発生装置３０のオンオフ、筐体２の揺動のオンオフ等を指示することができる。
【００４５】
押圧領域１６ａは押圧領域１６ｂ、１６ｃよりも面積が大きく形成される。押圧領域１６ａと隣接する押圧領域１６ｃとの間の距離Ｓ２は隣接する押圧領域１６ｃ間の距離Ｓ１よりも長くなっている。
【００４６】
図９は加飾シート６２の分解斜視図を示している。なお、図９ではヘアライン６２１ａの一部を図示している。加飾シート６２はヘアライン層６２ａ、第１スモーク層６２ｂ、第２スモーク層６２ｃ及び反射層６２ｄを有する。ヘアライン層６２ａは光を透過する樹脂シートにより形成され、表面全体に複数の微細な線状の筋目であるヘアライン６２１ａが加飾シート６２の短手方向（筐体２の左右方向）に延びて形成される。ヘアライン６２１ａは所定の周期（例えば数μｍ〜数十μｍ周期）で加飾シート６２の長手方向（筐体２の前後方向）に並設されている。ヘアライン６２１ａは深さが例えば数μｍ〜数十μｍに形成される。これにより、ヘアライン層６２ａの表面で特定方向の光線が透過しやすく他の方向の光が拡散するため、加飾シート６２は金属的な質感を出すことができる。なお、加飾シート６２の長手方向に延びるヘアライン６２１ａを加飾シート６２の短手方向に並設してもよい。
【００４７】
第１スモーク層６２ｂ及び第２スモーク層６２ｃはヘアライン層６２ａの裏面に例えば、８μｍの黒色の塗装を施して半透明に形成される。第１スモーク層６２ｂには押圧領域１６ａに対向する開口部６２１ｂが設けられ、第２スモーク層６２ｃは開口部６２１ｂ内に設けられる。
【００４８】
第１スモーク層６２ｂ及び第２スモーク層６２ｃの可視光線の透過率は例えば、５０％以下に形成される。また、第２スモーク層６２ｃの可視光線の透過率が第１スモーク層６２ｂよりも高く形成される。
【００４９】
反射層６２ｄは第１スモーク層６２ｂ及び第２スモーク層６２ｃの裏面に銀色の塗装を施して形成され、ヘアライン層６２ａから入射した光をヘアライン層６２ａの表面に向けて反射する。なお、第１スモーク層６２ｂ及び第２スモーク層６２ｃの裏面にアルミニウムや銀等を蒸着して反射層６２ｄを形成してもよい。
【００５０】
なお、使用者が室内の照明下で操作パネル６の加飾シート６２を略真上方向から見た場合に、押圧領域１６ａとそれ以外の領域（押圧領域１６ｂ、１６ｃや非押圧領域１７）とのコントラストがほぼ認められないように第１スモーク層６２ｂ及び第２スモーク層６２ｃの可視光線の透過率を設定している。
【００５１】
上記構成の送風装置１において、操作パネル６の押圧領域１６ａを押圧すると送風ファン７が駆動され、送風装置１の運転が開始される。この時、一の押圧領域１６ｃを押圧するとイオン発生装置３０が駆動される。これにより、室内の空気が筐体２の下部の吸込口４から送風通路２０内に流入する。送風通路２０内に流入した空気にはイオン発生装置３０で発生したイオンが含まれる。
【００５２】
イオンを含む気流は複数の分割通路２２に分割されて流通する。遠心ファンから成る送風ファン７の遠心力によって気流は送風通路２０の外周方向に導かれる。この時、送風通路２０の入口部２３から各分割通路２２に気流が均一に分散し、気流の偏りが防止される。そして、各分割通路２２を流通する気流が吹出口５から風向板２５に応じた方向に均一に送出される。これにより、イオンを含む気流が室内に拡散して室内の殺菌等を行うことができる。
【００５３】
また、イオン発生装置３０を停止して送風ファン７を駆動すると、使用者に向けて送風を行うとともに室内の空気を循環させることができる。
【００５４】
この時、吸込部４１に加えて吸込部４２からも室内の空気を吸い込むことができる。したがって、送風装置１の送風効率を向上させることができる。また、グリル８の傾斜部８ａに吸込部４２に設けているため、筐体２の揺動時に吹出口５から送出されて開口部２１ａの上方に存在するイオンの吸込部４２への吸い込みを低減することができる。したがって、室内にイオンを効率良く行き渡らせることができる。
【００５５】
また、吸込部４２の上方はカバー部材２ａにより覆われるため、例えば筐体２の上方から水等の液体が流れてきた場合に吸込部４２への水の浸入を低減することができる。
【００５６】
表１は本実施形態及び各比較例の操作パネルの識別性を比較実験した結果を示している。図１０は本実験を説明するための図であり、筐体２を前方から見た図を示している。なお、ヘアライン層６２ａとして厚さ２５０μｍのＳＡＢＩＣジャパン合同会社製のＬｅｘａｎ（登録商標）８Ａ３７を使用した。比較例１では第２スモーク層６２ｃに替えて可視光線の透過率が略１００％の透明層を配した。比較例２では第２スモーク層６２ｃを第１スモーク層６２ｂと同じ可視光線透過率にした。
【００５７】
実験方法は比較例１、２及び本実施形態の操作パネル６を筐体２の上面に配置し、筐体２の上面の法線Ｎに対する観察者の視線ＥＬの角度θを可変して行った。観察者の目Ｅと加飾シート６２との距離は１ｍであり、比較例１、２は筐体２の側方に角度θを可変し、本実施形態は筐体２の前方及び側方にそれぞれ角度θを可変している。
【００５８】
識別結果は観察者がコントラストが高く識別容易と判断した場合を「○」で示し、コントラストが低いが識別可能と判断した場合を「△」で示している。また、コントラストが殆どなく観察者が識別困難と判断した場合を「×」で示している。
【００５９】
【表１】
0006378116.tif 000002
【００６０】
表１によると、比較例１では角度θが０゜〜９０゜の範囲でコントラストが高く、比較例２では角度θが０゜〜９０゜の範囲でコントラストが殆どない。これに対して、本実施形態を筐体２の側方から見た場合は、角度θが０゜〜３０゜の範囲でコントラストが殆どない。しかし、角度θが４５゜のときに識別可能であり、６０゜〜９０゜の範囲でコントラストが高く識別が容易であった。また、本実施形態を筐体２の前方から見た場合は、角度θが０゜〜４５゜の範囲でコントラストが殆どない。しかし、角度θが６０゜のときに識別可能であり、９０゜のときにコントラストが高く識別が容易であった。
【００６１】
加飾シート６２内に入射した光は第１スモーク層６２ｂや第２スモーク層６２ｃを透過して反射層６２ｄで反射する。反射層６２ｄで反射した光は第１スモーク層６２ｂや第２スモーク層６２ｃを透過してヘアライン層６２ａの表面に向かう。この時、ヘアライン層６２ａの表面から法線Ｎ方向（筐体２の真上方向）に出射される光は法線Ｎ方向から入射した光が多くなる。法線Ｎ方向から入射した光は反射層６２ｄで１回反射した後にヘアライン層６２ａの表面に臨界角よりも小さい入射角で到達して出射される。このため、筐体２の真上（角度θが０°）から操作パネル６を見ると、押圧領域１６ａと非押圧領域１７とのコントラストが低くなる。
【００６２】
本実施形態では使用者が送風装置１に近づくと、操作パネル６が略上方から視認される。この時、押圧領域１６ａと非押圧領域１７とのコントラストが殆どないが、溝部１８や印刷（文字や装飾）によって押圧領域１６ａが識別される。これにより、加飾シート６２の配色を統一し、操作パネル６のデザインの統一性を損なうことなく美観を向上することができる。
【００６３】
一方、法線Ｎに対して傾斜してヘアライン層６２ａの表面から出射する光は出射する前にヘアライン層６２ａの表面と反射層６２ｄとの間で複数回反射していることが多い。すなわち、反射層６２ｄで反射した後にヘアライン層６２ａの表面に臨界角よりも大きい入射角で到達した光はヘアライン層６２ａの表面で全反射する。ヘアライン層６２ａの表面で全反射した光は再度反射層６２ｄで反射する。そして、ヘアライン層６２ａの表面への入射角が臨界角よりも小さい角度になった光はヘアライン層６２ａの表面から出射される。この時、第１スモーク層６２ｂの透過率は第２スモーク層６２ｃの透過率よりも低くなっているため、光が複数回反射している間に第１スモーク層６２ｂで吸収される光の量と第２スモーク層６２ｃで吸収される光の量との差は大きくなる。これにより、観察者が操作パネル６の加飾シート６２を斜め上方から見ると、押圧領域１６ａと非押圧領域１７とのコントラストが高くなる。
【００６４】
本実施形態によると、加飾シート６２はヘアライン層６２ａと、第１スモーク層６２ｂと、第２スモーク層６２ｃと、反射層６２ｄとを有する。これにより、例えば使用者が送風装置１から離れた場所にいる場合や床面に着座している場合のように角度θ（図１０参照）が大きい場合には押圧領域１６ａと非押圧領域１７とのコントラストが大きくなり、使用者は押圧領域１６ａを容易に識別することができる。したがって、送風装置１に近づいてから押圧領域１６ａを探す必要がなく、送風装置１の利便性を向上させることができる。
【００６５】
一方、例えば使用者が送風装置１に近づいて角度θが小さくなると、押圧領域１６ａと非押圧領域１７とのコントラストが低くなる。したがって、操作パネル６のデザインの統一性を損なわずに美観を向上させることができる。
【００６６】
また、押圧領域１６ａや押圧領域１６ａの近傍をＬＥＤ等で照らす必要がないため、送風装置１の製造コストや消費電力の増大を防止することができる。
【００６７】
また、第１スモーク層６２ｂ及び第２スモーク層６２ｃの可視光線の透過率を５０％以下にしている。これにより、第１スモーク層６２ｂと第２スモーク層６２cとを異なる透過率に形成しても、略真上から見た押圧領域１６ａと非押圧領域１７とのコントラストを低くできる。したがって、加飾シート６２のデザインの統一性を容易に確保することができる。
【００６８】
また、ヘアライン層６２ａが樹脂シートから成り、第１スモーク層６２ｂ、第２スモーク層６２ｃ及び反射層６２ｄが樹脂シート上に塗装して形成される。これにより、加飾シート６２を容易に形成することができる。なお、第１スモーク層６２ｂ、第２スモーク層６２ｃ及び反射層６２ｄをシート状部材により形成してもよい。
【００６９】
また、第２スモーク層６２ｃに対向するスイッチ６３により送風装置１（床置き型電気機器）の運転開始を行う。これにより、使用頻度の高い押圧領域１６ａの識別性を向上し、送風装置１の利便性をより向上させることができる。なお、第２スモーク層６２ｃに対向するスイッチ６３により送風装置１の運転停止を行ってもよい。
【００７０】
また、加飾シート６２は押圧領域１６と非押圧領域１７との境界を形成する溝部１８を有するとともに、押圧領域１６と非押圧領域１７とが略同一平面上に形成される。そして、溝部１８の深さｄが加飾シート６２の厚みｔの２倍以上に形成されるとともに、溝部１８の幅ｗが加飾シート６２の厚みｔの３倍以上に形成されると望ましい。これにより、押圧領域１６を介してスイッチ６３を容易に操作することができるとともに、操作パネル６の美観を向上させて高級感を演出することができる。
【００７１】
＜第２実施形態＞
次に、本発明の第２実施形態について説明する。図１１は本実施形態の操作パネルを備える送風装置の斜視図を示している。説明の便宜上、前述の図１〜図１０に示した第１実施形態と同様の部分には同一の符号を付している。本実施形態では、操作パネル６の構成が第１実施形態とは異なっている。その他の部分は第１実施形態と同様である。
【００７２】
操作パネル６は１個のスイッチ６３を有している。押圧領域１６ａを介してスイッチ６３を押すと送風装置１の運転が開始される。そして、運転中に押圧領域１６ａを介してスイッチ６３を押すと送風装置１の運転が停止される。
【００７３】
本実施形態でも第１実施形態と同様の効果を得ることができる。
【００７４】
＜第３実施形態＞
次に、本発明の第３実施形態について説明する。図１２は本実施形態の操作パネルを備える送風装置を筐体の背面側から見た斜視図を示している。説明の便宜上、前述の図１〜図１０に示した第１実施形態と同様の部分には同一の符号を付している。本実施形態では操作パネル６の構成及びグリル８の配置が第１実施形態とは異なっている。その他の部分は第１実施形態と同様である。
【００７５】
開口部２１ａ及びグリル８は筐体２の側面の後部に配され、側面の前部には配されていない。なお、本実施形態の開口部２１ａ及び吸込部４２の開口面積は第１実施形態の開口部２１ａ及び吸込部４２の開口面積と略同じになっている。これにより、前面の吹出口５と吸込部４２との間の距離を長くすることができる。したがって、吹出口５から送出されたイオンの吸込部４２への吸い込みを一層低減することができる。
【００７６】
また、操作パネル６の各押圧領域１６ａ〜１６ｃの面積は略同じになっており、押圧領域１６ａ〜１６ｃは等間隔で並設されている。これにより、操作パネル６のデザインの統一性が向上し、美観をより向上させることができる。
【００７７】
本実施形態でも第１実施形態と同様の効果を得ることができる。
【００７８】
なお、本実施形態の開口部２１ａ及びグリル８を筐体２の側面の後部に配さずに側面の前部に配してもよい。この場合、吸込部４２と吹出口５との間の距離は近くなるが、吹出口５から送出されてカバー部材２ａに沿ったイオンを含む気流は開口部２１ａで剥離しやすいため、イオンの吸込部４２への吸い込みを低減することができる。
【００７９】
第１〜第３実施形態において、送風装置１に設けた操作パネル６を例に説明したが、他の床置き型電気機器（例えば床置き型暖房器具や床置き型加湿機等）に操作パネル６を設けてもよい。
【産業上の利用可能性】
【００８０】
本発明によると、スイッチを覆う加飾シートを有する操作パネル及びそれを備えた床置き型電気機器に利用することができる。
【符号の説明】
【００８１】
１    送風装置
２    筐体
２ａ、２ｂ    カバー部材
３    台座部
４    吸込口
５    吹出口
６    操作部
７    送風ファン
８    グリル
１６、１６ａ〜１６ｃ    押圧領域
１７    非押圧領域
１８    溝部
２０    送風通路
２１    仕切板
２２    分割通路
２５    風向板
３０    イオン発生装置
４１    吸込部（第１吸込部）
４２    吸込部（第２吸込部）
６１    基台
６１ａ    開口部
６１ｂ    押圧部
６１ｃ    連結部
６２    加飾シート
６２ａ    ヘアライン層
６２ｂ    第１スモーク層
６２ｃ    第２スモーク層
６２ｄ    反射層
６３    スイッチ
６２１ｂ    開口部
【図１】
0006378116.tif 000003
【図２】
0006378116.tif 000004
【図３】
0006378116.tif 000005
【図４】
0006378116.tif 000006
【図５】
0006378116.tif 000007
【図６】
0006378116.tif 000008
【図７】
0006378116.tif 000009
【図８】
0006378116.tif 000010
【図９】
0006378116.tif 000011
【図１０】
0006378116.tif 000012
【図１１】
0006378116.tif 000013
【図１２】
0006378116.tif 000014